(57)【特許請求の範囲】
【請求項１】
外部から入力された映像信号を基準同期信号に同期した映像信号に変換するフレームシンクロナイザーにおいて、
外部入力映像信号を格納するメモリと、外部入力映像信号から分離した外部入力同期信号にしたがって映像信号をメモリに書き込む書込制御手段と、基準同期信号にしたがって映像信号をフレーム単位でメモリから読み出す第１の読出制御手段と、基準同期信号にしたがって映像信号をフィールド単位でメモリから読み出す第２の読出制御手段と、外部入力同期信号にしたがってメモリのフレームページを管理するページ管理手段とを備え、
前記ページ管理手段は、外部入力映像信号のフィールドの不連続を検出するフィールド不連続検出手段と、前記フィールド不連続がつなぎ撮り部分の入力による入力映像信号のフィールド不連続であるか判定し、その信号を前記書込制御手段と第１及び第２の読出制御手段に出力するつなぎ撮り判定手段と、前記フィールド不連続検出手段によりフィールド不連続が検出された場合、前記書込制御手段と第１及び第２の読出制御手段にメモリのフレームページを保持する制御信号を出力し、検出されない場合は、前記書込制御手段と第１及び第２の読出制御手段にメモリのフレームページを更新する制御信号を出力するページ判定手段とを備え、
前記書込制御手段は、前記ページ判定手段の制御信号にしたがって前記メモリに外部映像信号を書き込み、
前記第１の読出制御手段は、前記ページ判定手段から更新の制御信号が入力された場合は、フレームページを更新して読み出し、前記ページ判定手段から保持の制御信号が入力され、且つ前記つなぎ撮り判定手段からつなぎ撮りの信号が入力されていない場合は、フレームページを保持して読み出し、
前記第２の読出制御手段は、前記ページ判定手段から保持の制御信号が入力され、且つ前記つなぎ撮り判定手段からつなぎ撮りの信号が入力される場合のみ、直前のフィールドを１フレーム分読み出すことを特徴とするフレームシンクロナイザー。
【請求項２】
外部入力映像信号を同期分離したときに外部入力映像のフィールド信号の誤検出補償が行われる場合、誤検出補償された信号により前記フィールド不連続判定手段と前記つなぎ撮り検出手段が検出することを特徴とする請求項１記載のフレームシンクロナイザー。
【発明の詳細な説明】
【０００１】
【発明の属する技術分野】
本発明は、入力された映像信号を基準同期信号に同期した映像信号に変換するフレームシンクロナイザーに関するものである。
【０００２】
【従来の技術】
近年、デジタル信号処理技術の発展に伴い、映像信号などを高能率符号化したデジタルデータを記録再生する装置が普及してきている。これらデジタル信号を記録再生する装置は、従来のアナログ信号も記録できるようにするため、フレームシンクロナイザーによるアナログ信号の標準化および内部フレーム周波数への乗せ換えが必須となっている。このフレームシンクロナイザーを用いて、コンポジット信号等の外部入力映像信号が乱れた場合でも正常に記録再生する装置が、特開２００１−１６５４４号公報に提案されている。
【０００３】
特開２００１−１６５４４号公報におけるフレームシンクロナイザーのフレームメモリページ管理回路を図７に示す。図７において、１１は外部同期信号処理回路、１２はライン数エラー検出回路、１３はフィールド不連続検出回路、１４はインターレース／ノンインターレース判別回路、１５はリファレンスページ判定回路である。
【０００４】
まず、外部入力映像信号が乱れた場合について説明する。
入力された垂直同期信号と水平同期信号およびフィールド信号から、フィールド不連続検出回路１３でフィールド不連続判定を行い、不連続の場合エラーフラグを立てる。また、前フィールドのフィールド不連続判定の結果を保持する。同様に、垂直同期信号と水平同期信号から、ライン数エラー検出回路１２で１フィールド中のライン数が所定の値を満たしているか判断し、満たしていない場合にエラーフラグを立てる。また前フィールドのライン数判定結果を保持する。
【０００５】
次に、インターレース／ノンインターレース判別回路１４で、垂直同期信号にしたがってフィールド毎に、フィールド不連続検出回路１３からのフィールド不連続判定と、前フィールドのフィールド不連続判定を参照し、フィールド不連続が所定の回数を越えた場合に、フラグを立てるとともにｏｄｄ／ｅｖｅｎフィールドの疑似付け替え信号を出力する。尚、フィールドの連続が正常に戻り、正常の連続が所定の回数を越えた場合に、フラグをリセットする。
【０００６】
外部同期信号処理回路１１では、入力された垂直同期信号と水平同期信号およびフィールド信号から、フレームのスタートを検出するが、インターレース／ノンインターレース判別回路１４のフラグが立っている場合は、ｏｄｄ／ｅｖｅｎフィールドの疑似付け替え信号にしたがってフレームのスタートを検出する。そしてこれらの結果を元に、リファレンスページ判定回路１５でフレームメモリのページ管理を行う。
【０００７】
まず、リファレンスページ判定回路１５は、外部同期信号処理回路１１からのフレームスタート信号にしたがって、フレームスタート時にページを確定する。インターレースモードの時は、ライン数判定、前フィールドのライン数判定、フィールド不連続判定、前フィールド不連続判定の全てがエラーでない時のみ、リファレンスページを更新する。ノンインターレースモードの時は、ライン数判定、前フィールドのライン数判定がエラーでなく、フィールド不連続判定、前フィールド不連続判定がエラーの時のみ、リファレンスページを更新する。それ以外の場合はリファレンスページは更新されず、保持される。
【０００８】
このリファレンスページを元に、書き込みページは外部同期のフレームの先頭でリファレンスページをそのままセットし、読み出しページはフレームパルスの先頭で、リファレンスページの値に１を加えてセットする。以上のような処理により、外部入力映像信号が乱れた場合、フレームメモリのリファレンスページを保持することで正常な映像信号を出力することができる。但し、詳しくは後述するが、フレームメモリへの書き込みページの保持期間により、入力映像信号と出力映像信号のフレーム位相差によって、フレームメモリからの読み出しページが保持される場合と保持されない場合が生じる。
【０００９】
ここで、フレームシンクロナイザーにおいては、入力同期信号をリファレンスとして入力映像信号の状態を判断して動作するため、同期分離回路からの正確な同期検出（垂直同期、水平同期、フィールド信号）が必須となるが、外部入力映像信号の状態によっては、正確なフィールド信号検出が困難になる場合が存在する。例えば入力同期信号にノイズが乗った場合や、アナログＶＴＲの再生信号のフィールド信号検出箇所でドロップアウトが発生した場合等である。
それらの場合、実際の入力映像データが正常であっても、フレームシンクロナイザーではフィールド信号不連続と判定されてしまうため、同期分離回路において、フィールド信号の誤検出時に疑似フィールド信号による補償を行う回路を採用している例もある。
【００１０】
図８及び図９を用いて、フィールド信号の誤検出が発生した場合に、フレームシンクロナイザーの動作への影響を説明する。これらの図は入力映像信号のｅｖｅｎフィールドをｏｄｄフィールドと誤検出した場合を示しており、図８はフィールド信号の補償が行われない場合、図９はフィールド信号の補償が行われる場合である。
【００１１】
図８において、入力映像信号Ｙ４のｅｖｅｎフィールド２１が、同期分離回路でｏｄｄフィールド２２と誤検出され、ｏｄｄフィールドが連続する。フレームシンクロナイザーではフィールド不連続と判定し、フィールドエラーフラグ２３を立ててフレームメモリへの書き込みページＢ２および読み出しページＡ２を保持するため、入力映像信号Ｙ４は入力映像信号Ｙ５で上書き（ドロップ）され、出力映像信号はＹ３が２回出力（画面ホールド）される。入力映像信号Ｙ５の時には、フィールド信号が正常に検出されるため、フレームシンクロナイザーはフレームメモリのページ保持を解除し、入力映像信号Ｙ６はページＡ３に書き込まれ、出力映像信号はページＢ２からＹ４に上書きされたＹ５が出力される。したがって出力映像信号は、本来Ｙ３，Ｙ５と連続し、入力映像信号であるＹ４がドロップし、その期間Ｙ３の画面ホールドが発生する。このため、一瞬止まった後、少し飛んだ映像となる。
【００１２】
次に、図９において、入力映像信号Ｙ４のｅｖｅｎフィールド２１が、同期分離回路でｏｄｄフィールド２２と誤検出されるが、フィールド誤検出補償回路による補償フィールド信号ｅｖｅｎ２４が出力される。このため、フレームシンクロナイザーではフィールド不連続とは判定されず、フィールドエラーフラグが立たないためフレームメモリヘの書き込みページはＡ３、読み出しページはＢ２に更新され、出力映像信号はＹ３，Ｙ４，Ｙ５と正常に出力される。
以上のように、フレームシンクロナイザーへ入力するフィールド信号に誤検出補償を行うことは、フィールド信号の誤検出が頻繁に発生するような外部入力映像信号が入力された場合に、出力映像の画質を高める上で非常に有効である。
【００１３】
【発明が解決しようとする課題】
しかしながら、アナログＶＴＲの再生映像入力の場合等においては、つなぎ撮り部分でのフィールド不連続によるフィールド信号不連続となる場合が存在し、フィールド信号誤検出による不連続との判別が難しい。つなぎ撮り部分の入力によるフィールド信号不連続を、フィールド信号誤検出と判定して疑似フィールド信号により補償した場合、フレームシンクロナイザーへの入力映像信号の実際のフィールドと、フィールド信号が異なってしまうという問題があった。
【００１４】
ここで図１０及び図１１を用いて、つなぎ撮り部分の入力によるフィールド信号不連続が、フィールド信号誤検出補償回路で補償された場合の、フレームシンクロナイザーの動作への影響を説明する。
図１０及び図１１は、入力映像信号Ｙと入力映像信号Ｚがｏｄｄとｏｄｄで接続しており、フィールド信号誤検出補償が２フィールド連続（１フレーム）まで行われる場合を示している。また、つなぎ撮り部分の入力によるフィールド信号不連続時は、フレームメモリへの書き込みページの保持期間が３フィールド（１．５フレーム）分であるため、入力映像信号と出力映像信号のフレーム位相差によっては、フレームメモリからの読み出しページが保持される場合と保持されない場合があり、図１０はフレームメモリからの読み出しページが保持される場合、図１１は保持されない場合である。
【００１５】
図１０において、入力映像信号Ｙ４のｏｄｄフィールド３１後に入力映像信号Ｚ１がつなぎ撮りされており、ｏｄｄフィールド３２が連続する。フィールド誤検出補償回路ではフィールド誤検出と判定し、補償フィールド信号ｅｖｅｎ３５が出力される。
次はＺ１のｅｖｅｎフィールド３３だが、前フィールドの補償フィールド信号がｅｖｅｎ３５のため、補償フィールド信号ｏｄｄ３６が出力される。次のＺ２のｏｄｄフィールド３４からフィールド誤検出判定が解除され、入力フィールド信号ｏｄｄ３７が出力される。
【００１６】
フレームシンクロナイザーでは、Ｙ４のｏｄｄ３１の次がＺ１のｏｄｄ３２だが、補償フィールド信号ｅｖｅｎ３５によりフィールド不連続とは判定されず、Ｚ１のｏｄｄ３２をｅｖｅｎとしてフレームメモリページＢ２に書き込んだ後、その次も補償フィールド信号ｏｄｄ３６によりフィールド不連続とは判定されず、書き込みページをＡ３に更新し、Ｚ１のｅｖｅｎ３３をｏｄｄ３６としてＡ３に書き込む。その次のＺ２のｏｄｄ３４で、入力フィールド信号ｏｄｄ３７によりフィールド不連続と判定され、書き込みページＡ３が保持されてＺ２が上書きされる。
【００１７】
次に出力映像信号側であるが、Ａ３が３フィールド分保持されている期間中に、出力映像信号のフレーム先頭が２回来るため、フレームメモリからの読み出しページＢ２から２回読み出しが行われ、出力映像信号は、Ｙ４のｏｄｄとＺ１のｏｄｄが混ざったフレーム５１での画面ホールドとなる。その後はＺ２以降が順に出力される。
【００１８】
次に、図１１において、入力例の動作は図１０と同じであり、省略する。出力映像信号側はＡ３が３フィールド分保持されている期間中に、出力映像信号のフレーム先頭が１回来るため、フレームメモリからの読み出しページＢ２からの読み出しが行われ、出力映像信号は、Ｙ４のｏｄｄとＺ１のｏｄｄが混ざったフレーム５２が１回出力される。その後はＺ２以降が順に出力される。
【００１９】
以上により、本来は別のフレームである、つなぎ撮りの前後の映像が混ざったフレームが出力されてしまう。ここで映像が混ざったフレームの出力だが、Ｙ４の後にＺ１が出力されるため、出力が１フレームだけであれば見ていても気付かないレベルであるが、２フレーム出力されるとＹ４・Ｚ１の後にもう一度Ｙ４が出力されるため、映像が混ざっていることが容易に判別しやすくなってしまう。
【００２０】
本発明の目的は、同期分離回路でフィールド信号誤検出補償が行われた場合のつなぎ撮り入力時のフィールド信号誤検出による出力映像信号の乱れを抑えるフレームシンクロナイザーを提供することにある。
【００２１】
【課題を解決するための手段】
上記課題を解決するために本発明は、外部から入力された映像信号を基準同期信号に同期した映像信号に変換するフレームシンクロナイザーにおいて、
外部入力映像信号を格納するメモリと、外部入力映像信号から分離した外部入力同期信号にしたがって映像信号をメモリに書き込む書込制御手段と、基準同期信号にしたがって映像信号をフレーム単位でメモリから読み出す第１の読出制御手段と、基準同期信号にしたがって映像信号をフィールド単位でメモリから読み出す第２の読出制御手段と、外部入力同期信号にしたがってメモリのフレームページを管理するページ管理手段とを備え、
前記ページ管理手段は、外部入力映像信号のフィールドの不連続を検出するフィールド不連続検出手段と、前記フィールド不連続がつなぎ撮り部分の入力による入力映像信号のフィールド不連続であるか判定し、その信号を前記書込制御手段と第１及び第２の読出制御手段に出力するつなぎ撮り判定手段と、前記フィールド不連続検出手段によりフィールド不連続が検出された場合、前記書込制御手段と第１及び第２の読出制御手段にメモリのフレームページを保持する制御信号を出力し、検出されない場合は、前記書込制御手段と第１及び第２の読出制御手段にメモリのフレームページを更新する制御信号を出力するページ判定手段とを備え、
前記書込制御手段は、前記ページ判定手段の制御信号にしたがって前記メモリに外部映像信号を書き込み、
前記第１の読出制御手段は、前記ページ判定手段から更新の制御信号が入力された場合は、フレームページを更新して読み出し、前記ページ判定手段から保持の制御信号が入力され、且つ前記つなぎ撮り判定手段からつなぎ撮りの信号が入力されていない場合は、フレームページを保持して読み出し、
前記第２の読出制御手段は、前記ページ判定手段から保持の制御信号が入力され、且つ前記つなぎ撮り判定手段からつなぎ撮りの信号が入力される場合のみ、直前のフィールドを１フレーム分読み出すことを特徴とする。
【００２２】
また、本発明は、外部入力映像信号を同期分離したときに外部入力映像のフィールド信号の誤検出補償が行われる場合、誤検出補償された信号により前記フィールド不連続判定手段と前記つなぎ撮り検出手段が検出することを特徴とする。
【００２３】
本発明は上記の構成により、同期分離回路でフィールド信号誤検出補償が行われた場合のつなぎ撮り入力時のフィールド信号誤検出による出力映像信号の乱れを抑える。
【００２４】
【発明の実施の形態】
以下、本発明の実施の形態について図面を参照しながら説明する。
図１は、本発明に係るフレームシンクロナイザーの一実施形態を示すブロック図であり、図２は、このフレームシンクロナイザーに用いるページ管理回路を示すブロック図である。
【００２５】
図１に示すように、このフレームシンクロナイザーは、外部入力映像信号を格納するフレームメモリ１、外部入力映像信号を外部入力同期信号である垂直同期信号と水平同期信号、及びフィールド信号に分離する同期分離回路２、分離された外部入力同期信号にしたがって映像信号をフレームメモリ１に書き込む制御を行う書込制御回路３、基準同期信号にしたがって映像信号をフレーム単位でフレームメモリ１から読み出す第１の読出制御回路、基準同期信号にしたがって映像信号をフィールド単位でフレームメモリ１から読み出す第２の読出制御回路、外部入力同期信号にしたがってフレームメモリ１のフレームページを管理するページ管理回路６とを備える。フレームメモリ１は、書き込みページの保持期間が３フィールド（１．５フレーム）分である。また、同期分離回路２は、フィールド信号の不連続を検出して補償するフィールド信号誤検出補償回路を備える場合と備えていない場合がある。
【００２６】
このフレームシンクロナイザーは、フレームメモリ１に外部入力映像信号を書込制御回路３により書き込む。このとき、書込制御回路３は、同期分離回路２で分離した外部入力同期信号に基づいて入力映像信号をフレームメモリ１に書き込む制御を行う。一方、第１及び第２の読出制御回路４，５は基準同期信号に基づいて映像信号をフレームメモリ１から読み出す制御を行い、フレームメモリ１は映像信号を出力する。
このフレームシンクロナイザーは、外部映像信号の乱れによるフィールド信号不連続の場合と、つなぎ撮り部分でのフィールド信号不連続の場合を識別して、いずれの場合でも正常な出力信号を得ることができる。そのために、ページ管理回路６で以下に述べる処理を行う。
【００２７】
図２に示すように、上記ページ管理回路６は、基本的には図７のページ管理回路と同じであり、同一部分には同一符号を付す。図２のページ管理回路が図７と異なる点は、フィールド出力判定回路１６を備えたことと、フィールド不連続検出回路１３が前々フィールドのフィールド不連続判定の結果を保持していることである。
【００２８】
まず、外部入力映像信号が乱れた場合について説明する。この場合は、図８及び図９において説明した通りであるが、図１及び図２に示した各ブロックの動作を交えて詳しく説明する。
同期分離回路２から入力された垂直同期信号と水平同期信号およびフィールド信号から、フィールド不連続検出回路１３でフィールド不連続判定を行う。そして、不連続があった場合、フィールドエラーフラグを立てる。また、フィールド不連続検出回路１３は、前フィールドのフィールド不連続判定の結果および前々フィールドのフィールド不連続判定の結果を保持する。
同様に、ライン数エラー検出回路１２は、外部入力同期信号である垂直同期信号と水平同期信号から、１フィールド中のライン数が所定の値を満たしているか判断し、満たしていない場合にエラーフラグを立てる。また前フィールドのライン数判定結果を保持する。
【００２９】
次に、インターレース／ノンインターレース判別回路１４で、垂直同期信号にしたがって、フィールド毎に、フィールド不連続検出回路１３からのフィールド不連続判定と、前フィールドのフィールド不連続判定を参照する。そして、フィールド不連続が所定の回数を越えた場合に、フラグを立てるとともに、ｏｄｄ／ｅｖｅｎフィールドの疑似付け替え信号を出力する。
尚、フィールドの連続が正常に戻り、正常の連続が所定の回数を越えた場合、フラグをリセットする。
【００３０】
外部同期信号処理回路１１では、入力された垂直同期信号と水平同期信号およびフィールド信号から、フレームのスタートを検出するが、インターレース／ノンインターレース判別回路１４のフラグが立っている場合は、ｏｄｄ／ｅｖｅｎフィールドの疑似付け替え信号にしたがってフレームのスタートを検出する。そしてこれらの結果を元に、リファレンスページ判定回路１５でフレームメモリのページ管理を行う。
【００３１】
まずリファレンスページ判定回路１５は、外部同期信号処理回路１１からのフレームスタート信号にしたがって、フレームスタート時にページを確定する。インターレースモードの時は、ライン数判定、前フィールドのライン数判定、フィールド不連続判定、前フィールド不連続判定の全てがエラーでなく、フィールド不連続判定、前フィールド不連続判定がエラーの時のみ、リファレンスページを更新する。ノンインターレースモードの時は、ライン数判定、前フィールドのライン数判定がエラーでない時のみ、リファレンスページを更新する。それ以外の場合はリファレンスページは更新されず、保持される。
【００３２】
リファレンスページ判定回路１５は、リファレンスページを更新するか保持するかの制御信号１７を出力する。この制御信号１７を受けた書込制御回路３は、書き込みページとして、外部同期のフレームの先頭でリファレンスページをそのままセットする。制御信号１７を受けた第１の読出制御回路４は、読み出しページとして、フレームパルスの先頭でリファレンスページの値に１を加えてセットする。
【００３３】
以上のような処理により、外部入力映像信号が乱れた場合、フレームメモリ１のリファレンスページを保持することで正常な映像信号を出力することができる。但し、フレームメモリ１への書き込みページの保持期間により、入力映像信号と出力映像信号のフレーム位相差によって、フレームメモリからの読み出しページが保持される場合と保持されない場合がある。
【００３４】
次につなぎ撮り部分の入力によるフィールド不連続が発生した場合について説明する。
フィールド信号誤検出によるフィールド不連続では、図８に示すように、フィールドエラーフラグは１フレーム以上立つ。しかし、つなぎ撮り部分の入力によるフィールド不連続では、図１０に示すように、フィールドエラーフラグの立つ期間は１フィールドとなる。したがって、フィールド出力判定回路１６では、フィールド不連続検出回路３からのフィールド不連続判定、前フィールドのフィールド不連続判定の結果および前々フィールドのフィールド不連続判定の結果を参照して、前フィールドの不連続判定判定結果のみ立っている場合を、つなぎ撮りによるフィールド不連続と判定する。そして、つなぎ撮りによるフィールド不連続判定されている期間中に、出力映像信号のフレームパルスの先頭が来た場合、フィールド出力フラグを立て、フレームメモリ１からの読み出しを第２の読出制御回路５により1フレーム分、すなわち同一フィールドの２度読みとする。
【００３５】
ここで図３及び図４を用いて、つなぎ撮り部分の入力によるフィールド信号不連続が、同期分離回路２におけるフィールド信号誤検出補償回路で補償された場合の、フレームシンクロナイザーの動作への影響を説明する。入力映像信号は、図１０及び図１１と同じなので、同一符号を付す。
【００３６】
図３及び図４は、入力映像信号Ｙと入力映像信号Ｚがｏｄｄとｏｄｄで接続しており、フィールド信号誤検出補償が２フィールド連続（１フレーム）まで行われる場合を示している。またつなぎ撮り部分の入力によるフィールド信号不連続時は、フレームメモリ１への書込制御回路３による書き込みページの保持期間が３フィールド（１．５フレーム）分であるため、入力映像信号と出力映像信号のフレーム位相差によっては、フレームメモリ１からの読み出しページが保持される場合と保持されない場合がある。図３はフレームメモリからの読み出しページが保持される場合、図４は保持されない場合である。
【００３７】
図３において、入力映像信号Ｙ４のｏｄｄフィールド３１後に入力映像信号Ｚ１がつなぎ撮りされており、ｏｄｄフィールド３２が連続する。同期分離回路２のフィールド誤検出補償回路ではフィールド誤検出と判定し、補償フィールド信号ｅｖｅｎ３５が出力される。次はＺ１のｅｖｅｎフィールド３３だが、前フィールドの補償フィールド信号がｅｖｅｎ３５のため、補償フィールド信号ｏｄｄ３６が出力される。次のＺ２のｏｄｄフィールド３４からフィールド信号の不連続がないのでフィールド誤検出判定が解除され、入力フィールド信号ｏｄｄ３７が出力される。
【００３８】
Ｙ４のｏｄｄ３１の次がＺ１のｏｄｄ３２だが、補償フィールド信号ｅｖｅｎ３５によりフィールド不連続検出回路１３がフィールド不連続とは判定しない。そのため、リファレンスページ判定回路１５は、リファレンスページの更新する制御信号１７を出力し、書込制御回路３は、Ｚ１のｏｄｄ３２をｅｖｅｎ３５としてフレームメモリページＢ２に書き込む。したがって、メモリページＢ２には、Ｙ４のｏｄｄ３１とＺ１のｏｄｄ３２が書き込まれることになる。
その次も、Ｚ１のｅｖｅｎ３３が補償フィールド信号ｏｄｄ３６となって、フィールド不連続検出回路１３ではフィールド不連続とは判定されない。そのため、リファレンスページ判定回路１５は更新の制御信号１７を出力し、書込制御回路３は書き込みページをＡ３に更新し、Ｚ１のｅｖｅｎ３３をｏｄｄ３６としてＡ３に書き込む。
【００３９】
その次のＺ２のｏｄｄ３４においては、フィールド不連続はないとして、フィールド補償回路は入力フィールド信号をそのまま補償フィールド信号ｏｄｄ３７とする。このことにより、フィールド不連続検出回路１３がｏｄｄフィールド３７をフィールド不連続と判定し、フィールドエラーフラグ３８を立てる。リファレンスページ判定回路１５は、ページ保持する制御信号１７を出力し、書込制御回路３により書き込みページＡ３が保持されてＺ２が上書きされる。こうして、ページＡ３には、Ｚ１のｅｖｅｎ３３、Ｚ２のｏｄｄ３４とｅｖｅｎが書きこまれる。
【００４０】
次に出力映像信号側であるが、フィールドエラーフラグ３８が立っているので、リファレンスページ判定回路１５は、ページ保持制御信号を出力する。そのため、読み出しページはＢ２が２回読み出される。このとき、Ａ３が３フィールド分保持されている期間中に、出力映像信号のフレーム先頭が２回来るため、第１及び第２の読出制御回路４，５により、フレームメモリ１からの読み出しページＢ２からｏｄｄフィールドの２回読み出しが行われる。すなわち、１回目の出力映像信号は、第１の読出制御回路４によりＹ４のｏｄｄとＺ１のｏｄｄが混ざったフレーム３９が出力される。しかし、２回目のフレームの先頭では前フィールドエラーフラグのみ立っているため、フィールド出力判定回路１６は、この部分がつなぎ撮りによるフィールド不連続と判定し、フィールド出力フラグ１８を立てる。そのため、今度は第２の読出制御回路５により読み出し処理が行われる。すなわち、第２の読出制御回路５により、直前に出力されたＺ１のｏｄｄ３２が更に２回フィールド出力される（図３では、Ｚ１ｏ，Ｚ１ｏ）。その後は第１の読出制御回路Ｚ２以降が順に出力される。
【００４１】
次に、図４において、入力例の動作は図３と同じであり、省略する。
出力映像信号側はＡ３が３フィールド分保持されている期間中に、出力映像信号のフレーム先頭が１回来るため、第１の読出制御回路４によりフレームメモリからの読み出しページＢ２からの読み出しが行われるが、フィールド出力フラグは立たないため、出力映像信号は、ページＢ２のＹ４のｏｄｄとＺ１のｏｄｄが混ざったフレーム３９が１回出力される。その後はＺ２以降が順に出力される。
【００４２】
以上により、本来は別のフレームである、つなぎ撮りの前後の映像が混ざったフレームが２回出力される場合には、２回目の出力をＺ１のフィールド出力とすることで、Ｚ１の後にもう一度Ｙ４が出力されることがなくなるため、出力映像の時間的な順番が正常となり、映像の混ざりを抑えることができる。
【００４３】
次に、図５及び図６を用いて、フィールド信号誤検出補償回路がなかった場合、つなぎ撮り部分の入力によるフィールド信号不連続発生時の、フレームシンクロナイザーの動作への影響を説明する。
図５は、入力映像信号Ｙと入力映像信号Ｚがｏｄｄとｏｄｄで接続している場合を示している。またつなぎ撮り部分の入力によるフィールド信号不連続時は、フレームメモリへの書き込みページの保持期間が３フィールド（１．５フレーム）分であるため、入力映像信号と出力映像信号のフレーム位相差によっては、フレームメモリ１からの読み出しページが保持される場合と保持されない場合があり、図５はフレームメモリからの読み出しページが保持される場合、図６は保持されない場合である。
【００４４】
図５において、入力映像信号Ｙ４のｏｄｄフィールド３１後に入力映像信号Ｚ１がつなぎ撮りされており、ｏｄｄフィールド３２が連続する。フレームシンクロナイザーでは、Ｙ４のｏｄｄ３１の次がＺ１のｏｄｄ３２であるため、フィールド不連続検出回路１３によりフィールド不連続と判定され、リファレンスページ判定回路１５によりページ保持の制御信号１７が出力される。ページ保持の制御信号１７が入力された書込制御回路３は、書き込みページＢ２を保持してＺ１が上書きされる。
【００４５】
次に出力映像信号側であるが、Ｂ２が３フィールド分保持されている期間中に、出力映像信号のフレーム先頭が２回来るため、第１及び第２の読出制御回路４，５により、フレームメモリ１から読み出しページＡ２からＹ３が２回読み出される。ここで、通常のフレーム出力による画面ホールドの場合、Ｙ３のｏｄｄ，ｅｖｅｎ，ｏｄｄ，ｅｖｅｎと連続するため、特に動きのある映像の場合は、ｏｄｄとｅｖｅｎの間で時間的なずれがあることから、このままでは出力映像にぶれが生じる場合がある。しかし、２回目の読み出しページＡ２のとき、前フィールドフラグのみが立っているので、フィールド出力判定回路１６からフィールド出力フラグ４０が立つ。そのため、第２の読出制御回路５が直前のフィールドであるＹ３のｅｖｅｒ３３を２回読み出す。このように、Ｙ３のｅｖｅｎだけが出力されるためぶれが生じない。その後はリファレンスページ判定回路１５により、ページ更新の制御信号１７が出力されるので、第１の読出制御回路４がページ更新をしてＺ１以降が順に出力される。
【００４６】
次に、図６において、入力側の動作は図５と同じであり、省略する。出力映像信号側はＢ２が３フィールド分保持されている期間中に、出力映像信号のフレーム先頭が１回来るため、フレームメモリ１からの読み出しページＡ２からの読み出しが行われるが、フィールド出力判定回路１６によるフィールド出力フラグは立たないため、出力映像信号は、第１の読出制御回路４によりＹ３が１回出力される。その後はＺ１以降が順に出力される。
【００４７】
以上により、フィールド不連続時のフレームメモリページ保持によりフレームが２回出力される場合には、２回目の出力をＹ３のｅｖｅｎのフィールド出力とすることで、Ｙ３のｅｖｅｎの後にもう一度Ｙ３のｏｄｄが出力されることがなくなるため、出力映像の時間的な順番が正常となりぶれを抑えることができる。
【００４８】
以上、説明したように、つなぎ撮りによるフィールド不連続を検出して、出力映像信号が２回続けて出力される場合の２回目の出力を、ｅｖｅｎフィールドのフィールド出力とすることで、つなぎ撮り部分の入力時にも正常な映像信号を出力することができる。
【００４９】
【発明の効果】
以上のような方法により、本発明では、アナログＶＴＲのつなぎ撮り映像入力を検出し、第２の読出制御手段がフィールド出力を行うことにより、同期分離回路でフィールド信号誤検出補償が行われた場合はつなぎ撮り前後のフレーム混在映像を抑え、また同期分離回路でフィールド誤検出補償が行われない場合は、つなぎ撮りによる出力映像画面のホールドによる映像のぶれを抑えることができるため、画質を高めたフレームシンクロナイザーを実現することができる。
【図面の簡単な説明】
【図１】本発明に係るフレームシンクロナイザーの一実施形態を示すブロック図である。
【図２】フレームシンクロナイザーに用いるフレームメモリページ管理回路を示すブロック図である。
【図３】フレームメモリからの読み出しページが保持される場合における、つなぎ撮り部分の入力時にフィールド信号誤検出補償を行うフレームシンクロナイザーの動作を示す説明図である。
【図４】フレームメモリからの読み出しページが保持されない場合における、つなぎ撮り部分の入力時にフィールド信号誤検出補償を行うフレームシンクロナイザーの動作を示す説明図である。
【図５】フレームメモリからの読み出しページが保持される場合における、つなぎ撮り部入力時にフィールド信号誤検出補償を行わないフレームシンクロナイザーの動作を示す説明図である。
【図６】フレームメモリからの読み出しページが保持されない場合における、つなぎ撮り部入力時にフィールド信号誤検出補償を行わないフレームシンクロナイザーの動作を示す説明図である。
【図７】従来のフレームシンクロナイザーのフレームメモリページ管理回路を示すブロック図である。
【図８】フィールド信号の補償が行われない場合における、フィールド信号誤検出時のフレームシンクロナイザーの動作を示す説明図である。
【図９】フィールド信号の補償が行われる場合における、フィールド信号誤検出時のフレームシンクロナイザーの動作を示す説明図である。
【図１０】フレームメモリからの読み出しページが保持される場合における、つなぎ撮り部入力時の従来のフレームシンクロナイザーの動作を示す説明図である。
【図１１】フレームメモリからの読み出しページが保持されない場合における、つなぎ撮り部入力時の従来のフレームシンクロナイザーの動作を示す説明図である。
【符号の説明】
１  フレームメモリ
２  同期分離回路
３  書込制御回路
４  第１の読出制御回路
５  第２の読出制御回路
６  ページ管理回路
１１  外部同期信号処理回路
１２  ライン数エラー検出回路
１３  フィールド不連続検出回路
１４  インターレース／ノンインターレース判別回路
１５  リファレンスページ判定回路
１６  フィールド出力判定回路
【図１】
0003770823.tif 000002
【図２】
0003770823.tif 000003
【図３】
0003770823.tif 000004
【図４】
0003770823.tif 000005
【図５】
0003770823.tif 000006
【図６】
0003770823.tif 000007
【図７】
0003770823.tif 000008
【図８】
0003770823.tif 000009
【図９】
0003770823.tif 000010
【図１０】
0003770823.tif 000011
【図１１】
0003770823.tif 000012